(57)【特許請求の範囲】
【請求項１】
容器底部の異物等を底方から検査する容器底検査装置において、容器の搬送コンベヤと、前記搬送コンベヤに平行に、適宜な間隔をもって設けられる搬送チェーンと、前記搬送コンベヤ上の容器搬送路を前記搬送チェーンとにまたがる位置にずらし、検査後再び搬送コンベヤ上に戻すように形成される一対のガイド部材と、容器を回転させながら搬送するように前記搬送チェーンを前記搬送コンベヤと異なる速度で走行させる駆動手段と、前記搬送チェーン及び駆動手段を支持する支持手段と、前記支持手段を前記搬送コンベヤの搬送方向に直交する方向に移動可能な移動手段と、上流側は前記搬送コンベヤのフレームに回動自在に支持され、下流側は前記支持手段の移動に伴って揺動するように当該支持手段に支持された渡り板とを備え、検査する容器の大きさに合わせて移動手段により支持手段を移動するように構成したことを特徴とする容器底検査装置。
【発明の詳細な説明】
【０００１】
【発明の属する技術分野】
本発明は、容器を回転させて十分な検査を行えるようにした容器底検査装置に関するものである。
【０００２】
【従来の技術】
内容物を充填された容器は、ウォーマやパストライザにて処理された後、一列状に整列された検査工程に導入される。この検査工程において、液中の異物や容器外面の付着物、さらに容器の傷等を容器の底方から検査する容器底検査装置が設置されている。
【０００３】
従来の容器底検査装置は、実公昭５７−５９９６０号公報に記載されるように、一対のコンベヤ間に形成した空間部間に渡って容器の外周部をスクリューコンベヤで支持搬送し、かつ容器の底部をサイレントチェーンで支持することによって搬送し、各支持部の速度を異ならせて容器を回転させつつ一方のコンベヤから他方のコンベヤに受け渡しするようにし、上記空間部を通過する際に、容器の底部を検査するようにしたものが提案されている。この装置は、容器を回転させることによりサイレントチェーンによる容器底部の死角をなくし、底部全域を検査できるようにし、また、容器が転倒する事なく安定した搬送ができるものであった。その上、液中に異物が発見された場合、その不良容器を上方に容易に引き抜くことができるものであった。
【０００４】
【発明が解決しようとする課題】
上述した従来の容器底検査装置は容器の外周部の支持搬送装置としてスクリューコンベヤを用いているので、取り扱い容器が変更された場合には、その都度容器の大きさに合わせてスクリューコンベヤを交換しなければならず、その取付の際には調整が煩わしいという問題点があった。さらに、比較的高価なスクリューコンベヤを複数種類揃えなければならず、その上使用しないものを保管しておく場所が必要だった。
【０００５】
そこで、本発明はこれらの事情に鑑み、簡単な構成で部品を交換することなく容易に型替えすることができる容器底検査装置を提供することを目的とするものである。
【０００６】
【課題を解決するための手段】
本発明は、前記の問題点を解決するために、次のような技術手段を採用した。請求項１記載の発明においては、容器底部の異物等を底方から検査する容器底検査装置において、容器の搬送コンベヤと、前記搬送コンベヤに平行に、適宜な間隔をもって設けられる搬送チェーンと、前記搬送コンベヤ上の容器搬送路を前記搬送チェーンとにまたがる位置にずらし、検査後再び搬送コンベヤ上に戻すように形成される一対のガイド部材と、容器を回転させながら搬送するように前記搬送チェーンを前記搬送コンベヤと異なる速度で走行させる駆動手段と、前記搬送チェーン及び駆動手段を支持する支持手段と、前記支持手段を前記搬送コンベヤの搬送方向に直交する方向に移動可能な移動手段と、上流側は前記搬送コンベヤのフレームに回動自在に支持され、下流側は前記支持手段の移動に伴って揺動するように当該支持手段に支持された渡り板とを備え、検査する容器の大きさに合わせて移動手段により支持手段を移動するように構成するという技術手段を採用した。このため、本発明に係る容器底検査装置において、容器の形状や径による扱う容器の制限を無くし、検査部分に死角ができない。
【０００７】
【実施例】
以下、本発明に係る容器底検査装置の具体的な一実施例について図面に基づいて詳細に説明する。
【０００８】
図１は容器底検査装置の正面図であり、図２はその平面図である。また、図３は図１におけるＡ−Ａ断面、図４は同じくＢ−Ｂ断面を示し、図５は図２におけるＣ−Ｃ断面を示すものである。これらの図に示すように、搬送コンベヤ１に対して搬送される容器Ｍの径よりやや狭い間隔を隔て、上面は前記搬送コンベヤ１上面と一致するように搬送チェーン２が設けられている。この搬送チェーン２は左右（容器搬送方向）２つの支持ブラケット３、４のそれぞれ上方及び下方に取り付けられた４つのスプロケット５、６、７、８に掛け渡されており、後述する検査用鏡２２への視線の邪魔にならないように設けられている。また、図３に示すように、左側下方のスプロケット６には速度調節可能な駆動モータ９が接続されている。
【０００９】
前記各支持ブラケット３、４は共にスライドプレート１０上に固定されていて、このスライドプレート１０はベースプレート１１上に前後方向（容器搬送方向と直交する方向）に移動可能に構成されている。
【００１０】
この構成をさらに詳しく説明すると、ベースプレート１１の中央部には図４に示すようにねじ部を有する摘み１２がベースプレート１１に回動自在に取り付けられ、前記ねじ部がスライドプレート１０に取り付けられているブロック１３に螺合しており、摘み１２を回すことによってベースプレート１１に対してスライドプレート１０が移動するようになっている。このベースプレート１１上の摘み１２を挟んで左右２個所にはレール１４、１５が設けられ、このレール１４、１５上をスライドプレート１０の下面に設けたレール受け１６、１７がスライドするように案内される。また、ベースプレート１１に対してスライドプレート１０はスペーサ１８、１９を介して固定ハンドル２０、２１を締め付けることによって固定され、緩めることによって移動可能となるものである。
【００１１】
図４に示すように搬送コンベヤ１と搬送チェーン２との間隙の下方には、容器Ｍの底を水平方向から目視するための検査用鏡２２が設けられている。この検査用鏡２２は容器Ｍの大きさ等に対応できるように傾斜角度を調節できるようになっている。
【００１２】
搬送コンベヤ１上には、容器Ｍの搬送路を形成するガイド部材が設けられている。図５に示すように、搬送される容器Ｍの外周部両側を上下２個所で案内するチェーン側ガイド３０、３１がガイドブラケット３４に取り付けられ、反対側のガイド３２、３３がガイドブラケット３５に取り付けられている。両側ともに上方のガイド３０、３２はハンドル３６、３７を緩めることによってガイドブラケット３４、３５に対して容器Ｍの大きさに合わせて高さを調節できるようになっている。
【００１３】
さらに、ガイドブラケット３４の外側には水平方向に延びるロッド３８が設けられており、このロッド３８がハンドル４２を締め付けることによって搬送コンベヤ１のフレーム部に取り付けられたブラケット４０に対して取り付けられている。ハンドル４２を緩めることによって容器Ｍの大きさに合わせてガイド部材の幅を調節することができるようになっている。
【００１４】
一方、ガイドブラケット３５の外側にはねじ部を有するロッド３９が設けられており、このロッド３９が搬送コンベヤ１のフレーム部に取り付けられているブラケット４１に固定されている。同様にして下流側３個所でガイド３０、３１、３２、３３が支持されている。また、図２に示すように、このガイド３０、３１、３２、３３は前記検査用鏡２２の上方で容器Ｍを搬送コンベヤ１上から搬送コンベヤ１と搬送チェーン２とに跨った位置にずらし、再び搬送コンベヤ１上に戻すように屈曲されている。
【００１５】
搬送コンベヤ１と搬送チェーン２との間隙の上流側には搬送される容器Ｍが傾倒せず、スムーズに搬送チェーン２に載り移ることができるように、搬送コンベヤ１と上面を一致させるように渡り板４５が設けられている。この渡り板４５は、上流側は搬送コンベヤ１のフレーム部に回動自在に支持され、下流側は搬送チェーン２の移動に伴って揺動するように、前記支持ブラケット４に取り付けられた支持部材（図示せず）に支持されるように構成されている。なお、搬送コンベヤ１の搬送チェーン２の反対側には検査用の照明装置５０が設けられている。
【００１６】
以上のような構成の容器底検査装置において、搬送チェーン２は搬送コンベヤ１に対して検査用鏡２２上を容器Ｍが通過する間に９０度自転させるように、速度を制御されている。図２の矢印Ｘの方向から適宜な間隔をもって搬送される容器Ｍはガイド３０、３１、３２、３３によって形成される搬送路に沿って徐々に搬送コンベヤ１上から渡り板４５上を通過して搬送コンベヤ１と搬送チェーン２とに跨った位置に案内される。
【００１７】
そして、搬送コンベヤ１と搬送チェーン２とは速度が異なっているので、容器Ｍは自転しながら下流に向けて搬送される。自転することによって搬送コンベヤ１や搬送チェーン２による死角が解消されることになる。そして、検査用鏡２２上方で、容器Ｍ内の底部に沈澱した異物、容器Ｍ外面の付着物、さらには容器Ｍの傷等がないか目視による検査が行われるものである。もし、異常があれば、その容器Ｍを容易に上方に抜き取ることができる。そして、検査用鏡２２の上方を通過した容器Ｍはガイド３０、３１、３２、３３によって再び搬送コンベヤ１上に戻されることになる。
【００１８】
処理する容器Ｍの種類が変更され、この検査装置を型替えする場合は、固定ハンドル２０、２１を緩め、容器底部の径に合わせて摘み１２を回して搬送コンベヤ１と搬送チェーン２との間隔を調節し、必要に応じてガイド３０、３１、３２、３３の位置を各ハンドル３６、４２、３７によって調節する。また、搬送チェーン２の速度を所定範囲内で容器が少なくとも９０度自転するように調整する。このように部品を取り替えることなく、容易に型替えすることができるものである。
【００１９】
【発明の効果】
本発明は、以上説明したように容器底検査装置において、容器の形状や径による扱う容器の制限を無くし、底方から検査する際に死角ができず、かつ容易に型替えすることができるという効果を奏するものである。
【図面の簡単な説明】
【図１】  本発明の第一実施例に係る容器底検査装置を示す正面図である。
【図２】  同第一実施例の平面図である。
【図３】  図１におけるＡ−Ａ矢視図である。
【図４】  図１におけるＢ−Ｂ矢視図である。
【図５】  図２におけるＣ−Ｃ断面図である。
【符号の説明】
１・・・・搬送コンベヤ                ２・・・・搬送チェーン
３・・・・支持ブラケット              ４・・・・支持ブラケット
９・・・・駆動モータ                １０・・・・スライドプレート
１１・・・・ベースプレート            ２２・・・・検査用鏡
３０・・・・チェーン側ガイド          ３１・・・・チェーン側ガイド
３２・・・・ガイド                    ３３・・・・ガイド
４５・・・・渡り板                    ５０・・・・照明装置
Ｍ・・・・容器
【図１】
0004310592.tif 000002
【図２】
0004310592.tif 000003
【図３】
0004310592.tif 000004
【図４】
0004310592.tif 000005
【図５】
0004310592.tif 000006